(57)【特許請求の範囲】
【請求項１】
一対の側枠の中央部間に内部中空の複数の中間ガイドを上下方向に所要の間隔をおいて設け、隣接する中間ガイド間に設けられたセンターローラと、その両側に設けられたサイドローラとの回転によって中間ガイドの一方の面に沿って写真感光材料を下向きに移送し、その写真感光材料を一対の側枠の下部間において反転させて中間ガイドの他方の面に沿って上向きに移送させるようにした写真感光材料搬送用のラックにおいて、前記一対の側枠と中間ガイドの組立て品をラック枠とし、そのラック枠を各中間ガイドを通り、その中間ガイドの面に平行する垂直面に沿って前後に分割して、互に結合される前部ラック枠と後部ラック枠を設け、その前部ラック枠と後部ラック枠とを側枠の分割体と中間ガイドの分割体が一体化された合成樹脂の成形品としたことを特徴とする写真感光材料搬送用のラック。
【発明の詳細な説明】
【０００１】
【発明の属する技術分野】
この発明は、自動現像装置の処理液タンク内にセットされる写真感光材料搬送用のラックに関するものである。
【０００２】
【従来の技術】
一方向に並ぶ複数の処理液タンク内に現像液、漂白液、定着液、安定化液等の各種現像処理液を充填し、その処理液タンク内の現像処理液中に写真感光材料を順に浸漬して現像処理する自動現像装置においては、各処理液タンクの処理液中にラックを浸漬し、そのラック内において写真感光材料を移送させるようにしている。
【０００３】
上記ラックとして、図５に示したものが従来から知られている。このラックは、一対の側枠３０の中央部間に複数の中間ガイド３１を上下方向に所要の間隔をおいて設け、各中間ガイド３１上にセンターローラ３２を配置し、そのセンターローラ３２の両側に一対のサイドローラ３３を設け、一対の側枠３０の前側部間および後側部間に前部ガイド３４および後部ガイド３５を取付け、その前部ガイド３４と中間ガイド３１間および中間ガイド３１と後部ガイド３５間に断面形状がスリット状の移送路３６、３７を形成し、前記センターローラ３２およびサイドローラ３３の回転によって移送路３２、３３に沿って写真感光材料を移送させるようにしている。
【０００４】
また、一対の側枠３０の下部間にターン装置３８を設け、前部ガイド３４と中間ガイド３１間の移送路３６に沿って下向きに送られる写真感光材料Ａをそのターン装置３８によって移送方向を反転し、後部ガイド３５と中間ガイド３１間の移送路３７に沿って写真感光材料を上向きに移送させるようにしている。
【０００５】
上記ラックにおいては、一対の側枠３０、中間ガイド３１、前部ガイド３４および後部ガイド３５を合成樹脂の成形品とすると共に、中間ガイド３１、前部ガイド３４および後部ガイド３５のそれぞれを内部中空としてラックの軽量化を図り、処理液タンクに対してラックを簡単に着脱し得るようにしている。
【０００６】
また、中間ガイド３１、前部ガイド３４および後部ガイド３５を中空品とし、かつ移送路３６、３７をスリット状とすることで処理液の減量化を図り、資源の有効利用を図るようにしている。
【０００７】
【発明が解決しようとする課題】
ところで、上記ラックにおいては、一対の側枠３０、中間ガイド３１、前部ガイド３４および後部ガイド３５のそれぞれが別部品であり、各部品をはめ合いやねじの締付けによる手段を介して組立てる構成であるため、各部品のはめ合い部にははめ合いを可能とする必要最小限のクリアランスを設ける必要がある。
【０００８】
このため、はめ合い部に隙間が生じてラックがガタつき、強度の強い寸法精度の高いラックを得ることができず、その強度の向上を図るため、補強桟等の取付けを必要とし、組立てに手間がかかる問題があった。
【０００９】
特に、中間ガイド３１は、側枠３０に形成された孔に差し込む組立てであるため、取付位置にバラツキが生じ易く、搬送性に優れたラックを得ることができなかった。
【００１０】
また、中間ガイドは全長にわたって幅寸法が一定しているため、組付け前の輸送の段階や組付けの段階で写真感光材料の移動を案内する案内面が他部品との衝突によって傷がつき易いという問題があった。
【００１１】
この発明の課題は、寸法精度の高い強度的に強い搬送性に優れたラックを提供することである。
【００１２】
【課題を解決するための手段】
上記の課題を解決するために、この発明においては、一対の側枠の中央部間に内部中空の複数の中間ガイドを上下方向に所要の間隔をおいて設け、隣接する中間ガイド間に設けられたセンターローラと、その両側に設けられたサイドローラとの回転によって中間ガイドの一方の面に沿って写真感光材料を下向きに移送し、その写真感光材料を一対の側枠の下部間において反転させて中間ガイドの他方の面に沿って上向きに移送させるようにした写真感光材料搬送用のラックにおいて、前記一対の側枠と中間ガイドの組立て品をラック枠とし、そのラック枠を各中間ガイドを通り、その中間ガイドの面に平行する垂直面に沿って前後に分割して、互に結合される前部ラック枠と後部ラック枠を設け、その前部ラック枠と後部ラック枠とを側枠の分割体と中間ガイドの分割体が一体化された合成樹脂の成形品とした構成を採用している。
【００１３】
【発明の実施の形態】
以下、この発明の実施の形態を図１乃至図４に基づいて説明する。
図示のように、ラック枠１は、一対の側枠２と、側枠２の中央部間において上下方向に所要の間隔をおいて設けられた複数の中間ガイド３と、最上位の中間ガイド３における上側前後に設けられた入口ガイド４および出口ガイド５と、一対の側枠２の下端部間に設けられた前後一対の連結桟６から成る。
【００１４】
一対の側枠２は、外側面に凹部２ａを有し、その凹部２ａの開口は、蓋２ｂの取付けによって閉塞されている。
【００１５】
中間ガイド３は内部中空とされている。この中間ガイド３、入口ガイド４、出口ガイド５および一対の連結桟６のそれぞれ両端は一対の側枠２に一体化されている。
【００１６】
ラック枠１は、側枠２および中間ガイド３の前後方向の略中央部に沿って前部ラック枠１ａと後部ラック枠１ｂとに分割され、その前部ラック枠１ａと後部ラック枠１ｂとは合成樹脂により成形されている。前部ラック枠１ａと後部ラック枠１ｂとは一方のラック枠の表面から他方のラック枠に向けてねじ込まれる図示省略したねじの締付けによって互に結合される。
【００１７】
中間ガイド３の両側は、写真感光材料の移動を案内する案内面３ａとされている。各中間ガイド３の上方にはセンターローラ７が設けられ、そのセンターローラ７の両側に一対のサイドローラ８が設けられている。
【００１８】
側枠２には、図３および図４に示すように、各ローラ７、８の軸心上に切欠部９が形成され、各切欠部９に嵌合された軸受１０によって各ローラ７、８は回転自在に支持されている。
【００１９】
なお、センターローラ７は、前記側枠２の凹部２ａ内に組込まれるギヤ伝動機構Ｂを介して一方向に回転駆動される。一方、サイドローラ８のそれぞれは、そのローラ軸に回転自在に取付けたプーリＰにスプリングＳの弾力を付与してセンターローラ７側に引き寄せられ、互に噛合するギヤＧ1 、Ｇ2 によってセンターローラ７の回転が伝達される。
【００２０】
図１に示すように、入口ガイド４と出口ガイド５との間には合成樹脂の成形品から成る案内ガイド１１が組込まれ、その案内ガイド１１と入口ガイド４との間に入口１２が形成されている。また、案内ガイド１１と出口ガイド５との間に出口１３が形成されている。
【００２１】
前部ラック枠１ａにおける側枠２の前側部間には前部ガイド１４が組込まれ、その前部ガイド１４と中間ガイド３間に断面形状がスリット状の移送路１５が設けられている。
【００２２】
一方、後部ラック枠１ｂにおける側枠２の後部間には後部ガイド１６が組込まれ、その後部ガイド１６と中間ガイド３間に断面形状がスリット状の移送路１７が形成されている。
【００２３】
前部ガイド１４および後部ガイド１６のそれぞれは、合成樹脂により形成されて内部中空とされ、上記移送路１５、１７を形成する内面にはサイドローラ８を収納する収納凹部１８が設けられている。
【００２４】
また、前部ガイド１４および後部ガイド１６のそれぞれは、側枠２の外側面から各ガイド１４、１６にねじ込まれるねじの締付けによって着脱自在に取付けられ、上記移送路１５、１７の掃除に際して、各ガイド１４、１６が一対の側枠２から取外される。
【００２５】
側枠２の下端部間には写真感光材料の移送方向を反転するターン装置１９が設けられている。ターン装置１９は、ターンローラ２０の両側と下方に３本のガイドローラ２１を設け、そのガイドローラ２１間にかけ渡したターンベルト２２をターンローラ２０の下側半周面に沿わせ、一方の移送路１５から下向きに送られてくる写真感光材料を矢印方向に回転されるターンローラ２０とターンベルト２２で挾持して移送方向を反転させるようにしている。
【００２６】
上記の構成から成るラックにおいては、一対の側枠２と中間ガイド３とを一体化してラック枠１とし、そのラック枠１を前部ラック枠１ａと後部ラック枠１ｂとに分割し、各ラック枠１ａ、１ｂを合成樹脂の成形品としているため、前部ラック枠１ａと後部ラック枠１ｂをねじの締付けによってラック枠１を形成した場合に、中間ガイド３の位置にバラツキを生じるという不都合の発生は皆無であり、搬送性に優れたラックを形成することができる。
【００２７】
また、側枠２と中間ガイド３が一体化しているため、強度的に強いラックを形成することができ、強度の向上を図る補強桟の取付けを不要とすることができ、部品点数の削減を図ることができる。
【００２８】
さらに、中間ガイド３の両側には側枠２があり、その側枠２の表面と中間ガイド３の案内面３ａ間に段差があるため、上記案内面３ａに障害物が衝突することが少なく、輸送や組立ての段階で案内面３ａに傷がつくのを効果的に防止することができる。
【００２９】
実施の形態においては、前部ガイド１４および後部ガイド１６を有するラックを示したが、ラックはこれに限定されず、上記前部ガイド１４および後部ガイド１６を省略し、センターローラ７とサイドローラ８の回転によって写真感光材料を中間ガイド３の面に沿って移動させるようにしたラックであってもよい。
【００３０】
【発明の効果】
以上のように、この発明においては、一対の側枠と内部が中空された複数の中間ガイドとを一体化してラック枠とし、そのラック枠を前部ラック枠と後部ラック枠とに分割し、各ラック枠を合成樹脂の成形品としたことによって、搬送性に優れた寸法精度の高い、しかも強度的に強いラックを形成することができる。
【図面の簡単な説明】
【図１】この発明に係るラックの縦断側面図
【図２】図１のII−II線に沿った断面図
【図３】図１のIII −III 線に沿った断面図
【図４】前部ラック枠と後部ラック枠とを示す縦断側面図
【図５】従来のラックを示す縦断側面図
【符号の説明】
１  ラック枠
２  側枠
３  中間ガイド
７  センターローラ
８  サイドローラ
１８  収納凹部
１９  ターン装置
【図１】
0003812097.tif 000002
【図２】
0003812097.tif 000003
【図３】
0003812097.tif 000004
【図４】
0003812097.tif 000005
【図５】
0003812097.tif 000006